(57)【要約】【課題】室内空間を仕切る間仕切り１が、天井面Ｈにまでは至らない自立型のものであっても、縦支柱３の下端縁部の補強ができるようにする。【解決手段】床面Ｆ側に固定される床レール２に左右方向に間隔を存して立設する縦支柱３を、縦支柱３の高さ調整手段７の構成部材であって、縦支柱３の上下位置調整をするため調整基材８に対して上下位置調整自在に支持され、かつ縦支柱３の下端縁部が螺子固定される支柱支持材９を上下位置調整された状態で、床レール２に内嵌する状態で床面側に固定される下部補強材と螺子固定する。【選択図】図９
2020165105.tif 000002
【特許請求の範囲】
【請求項１】
上側が開口し、底片部が床面側に固定される床レールと、
該床レールに支持される状態で左右方向に間隔を存して立設する縦支柱と、
隣接する縦支柱間を連結する横連結材と、
縦支柱の高さ調整手段とを備えて構成される間仕切りにおいて、
前記高さ調整手段は、床レールに内嵌する調整基材と、縦支柱の上下位置調整をするため調整基材に対して上下位置調整自在に支持され、かつ縦支柱の下端縁部が螺子固定される支柱支持材とを備えて構成され、
床レールには、床面側に固定される下部補強材が内嵌され、
該下部補強材は、上下位置調整された支柱支持材に螺子固定されることを特徴とする間仕切りにおける縦支柱の補強構造。
【請求項２】
支柱支持材は、調整基材に上下位置調整自在に設けられたアジャスタボルトに当接するボルト当接片部と、該ボルト当接片部から上方に延出していて縦支柱下端縁部が螺子固定される支柱固定片部と、ボルト当接片部から下方に延出していて下部補強材が螺子固定される補強材固定片部とを備えていることを特徴とする請求項１記載の間仕切りにおける縦支柱の補強構造。
【請求項３】
支柱固定片部は、ボルト当接片部の前後方向端縁部から上方に延出し、補強材固定片部は、調整基材に外嵌する状態でボルト当接片部の左右方向端縁部から下方に延出しており、支柱支持材は、補強材固定片部が調整基材の左右端縁部に摺接することで上下方向の移動案内がなされることを特徴とする請求項２記載の間仕切りにおける縦支柱の補強構造。
【請求項４】
縦支柱の下端縁部は、左右見込み片部に対して前後見付け片部が下方に延出していて調整基材に外嵌する延出部を備え、該延出部は、外嵌する調整基材に螺子固定されていることを特徴とする請求項３記載の間仕切りにおける縦支柱の補強構造。
【請求項５】
上側が開口し、底片部が床面側に固定される床レールと、
該床レールに支持される状態で左右方向に間隔を存して立設する縦支柱と、
隣接する縦支柱間を連結する横連結材と、
縦支柱の高さ調整手段とを備えて構成される間仕切りにおいて、
前記高さ調整手段は、床レールに内嵌する調整基材と、該調整基材に対して上下位置調整自在に支持され、かつ縦支柱の下端縁部が螺子固定される支柱支持材とを備えて構成され、
床レールには、床面側に固定される下部補強材が内嵌され、
該下部補強材は、支柱支持材の調整基材に対する上下位置調整をすることで縦支柱の上下位置調整がなされた後、該上下位置調整された支柱支持材に螺子固定されることを特徴とする間仕切りにおける縦支柱の補強方法。
【発明の詳細な説明】
【技術分野】
【０００１】
本発明は、建造物の室内空間を仕切るため建て付けられる間仕切りにおける縦支柱の補強構造および補強方法の技術分野に関するものである。
【背景技術】
【０００２】
今日、建造物の室内空間を仕切るため、間仕切りを建て付けることが試みられるが、このような間仕切りを、床面から天井面にまで至る構成にした場合、該間仕切りは、上下両持ち状になって床面側だけでなく天井面側からの支持も受ける構造になって強度的に強いものにすることができるが、天井面にまでは至らない所謂自立型のものにした場合、床面側からだけの片持ち状の支持構造となり、この結果、どうしても強度的に弱いものになる。
そこでこのような間仕切りの強度アップを図るため、間仕切りの左右方向中間部に袖パネル部を見込み方向（前後方向）に突出するようにして設けることが試みられている（例えば特許文献１参照。）。
【先行技術文献】
【特許文献】
【０００３】
【特許文献１】特開２０１３−９６１３３号公報
【発明の概要】
【発明が解決しようとする課題】
【０００４】
ところが前記従来のものは、袖パネル部を設けることで強度アップを図ることはできるものの、該袖パネル部が邪魔になって室内の有効空間が狭くなるだけでなく、袖パネル部に人がぶつかったりする等の問題があるうえ、このような袖パネル部を用いないものの建付けが要求された場合に、間仕切りの実質的な強度アップを図ることが難しいという問題があり、これらに本発明の解決すべき課題がある。
【課題を解決するための手段】
【０００５】
本発明は、上記の如き実情に鑑みこれらの課題を解決することを目的として創作されたものであって、請求項１の発明は、上側が開口し、底片部が床面側に固定される床レールと、該床レールに支持される状態で左右方向に間隔を存して立設する縦支柱と、隣接する縦支柱間を連結する横連結材と、縦支柱の高さ調整手段とを備えて構成される間仕切りにおいて、前記高さ調整手段は、床レールに内嵌する調整基材と、縦支柱の上下位置調整をするため調整基材に対して上下位置調整自在に支持され、かつ縦支柱の下端縁部が螺子固定される支柱支持材とを備えて構成され、床レールには、床面側に固定される下部補強材が内嵌され、該下部補強材は、上下位置調整された支柱支持材に螺子固定されることを特徴とする間仕切りにおける縦支柱の補強構造である。
請求項２の発明は、支柱支持材は、調整基材に上下位置調整自在に設けられたアジャスタボルトに当接するボルト当接片部と、該ボルト当接片部から上方に延出していて縦支柱下端縁部が螺子固定される支柱固定片部と、ボルト当接片部から下方に延出していて下部補強材が螺子固定される補強材固定片部とを備えていることを特徴とする請求項１記載の間仕切りにおける縦支柱の補強構造である。
請求項３の発明は、支柱固定片部は、ボルト当接片部の前後方向端縁部から上方に延出し、補強材固定片部は、調整基材に外嵌する状態でボルト当接片部の左右方向端縁部から下方に延出しており、支柱支持材は、補強材固定片部が調整基材の左右端縁部に摺接することで上下方向の移動案内がなされることを特徴とする請求項２記載の間仕切りにおける縦支柱の補強構造である。
請求項４の発明は、縦支柱の下端縁部は、左右見込み片部に対して前後見付け片部が下方に延出していて調整基材に外嵌する延出部を備え、該延出部は、外嵌する調整基材に螺子固定されていることを特徴とする請求項３記載の間仕切りにおける縦支柱の補強構造である。
請求項５の発明は、上側が開口し、底片部が床面側に固定される床レールと、該床レールに支持される状態で左右方向に間隔を存して立設する縦支柱と、隣接する縦支柱間を連結する横連結材と、縦支柱の高さ調整手段とを備えて構成される間仕切りにおいて、前記高さ調整手段は、床レールに内嵌する調整基材と、該調整基材に対して上下位置調整自在に支持され、かつ縦支柱の下端縁部が螺子固定される支柱支持材とを備えて構成され、床レールには、床面側に固定される下部補強材が内嵌され、該下部補強材は、支柱支持材の調整基材に対する上下位置調整をすることで縦支柱の上下位置調整がなされた後、該上下位置調整された支柱支持材に螺子固定されることを特徴とする間仕切りにおける縦支柱の補強方法である。
【発明の効果】
【０００６】
請求項１または５の発明とすることにより、床レールに内嵌する状態で床面側に固定される下部補強材に、高さ調整手段の構成部材であって縦支柱の下端縁部が固定される支柱支持材が上下位置調整された状態で螺子固定されることになって、縦支柱下端縁部の補強ができることになるが、この縦支柱の補強を、縦支柱の高さ調整手段を構成する支柱支持材を介することでできる結果、支柱支持材を縦支柱補強のための構成部材として有効に利用できることになって構造の簡略化だけでなく、現場での組付け作業の簡略化にも寄与できることになる。
請求項２の発明とすることにより、縦支柱の高さ調整をするため設けられるアジャスタボルトに当接するボルト当接片部に、縦支柱に螺子固定される支柱固定片部と下部補強材に螺子固定される補強材固定片部とを設けただけの構造の簡単なもので、下部補強材を介して縦支柱の補強ができることになる。
請求項３の発明とすることにより、支柱支持材に設けた補強材固定片部が、該支柱支持材の上下方向の移動案内をするための案内部材に兼用されることとなって、縦支柱の補強を、支柱支持材の精度の高い上下移動と併せてできることになる。
請求項４の発明とすることにより、縦支柱に設けた延出部が調整基材に螺子固定されることとなって、縦支柱の調整基材との一体化が図れ、更なる強度アップに寄与できることになる。
【図面の簡単な説明】
【０００７】
【図１】間仕切りの正面図である。
【図２】間仕切りの斜視図である。
【図３】縦支柱の下端縁部部位の正面縦断面図である。
【図４】縦支柱の下端縁部部位の側面縦断面図である。
【図５】下部補強材部位の側面縦断面図である。
【図６】縦支柱の下端縁部部位の平面横断面図である。
【図７】下部補強材部位の平面横断面図である。
【図８】縦支柱下端部部位の斜視図である。
【図９】縦支柱下端縁部部位の分解斜視図である。
【図１０】縦支柱下端縁部部位の調整基材を組込んだ状態の分解斜視図である。
【図１１】縦支柱下端縁部部位の縦支柱を組込んだ状態の分解斜視図である。
【図１２】縦支柱上端縁部部位の横枠材を省略した状態の平面図である。
【図１３】縦支柱上端縁部部位の正面縦断面図である。
【図１４】縦支柱上端縁部部位の側面縦断面図である。
【図１５】上部補強材部位の側面縦断面図である。
【図１６】縦支柱上端縁部部位の分解斜視図である。
【図１７】（Ａ）（Ｂ）は遊端部における縦支柱の上端縁部部位、下端縁部部位の斜視図である。
【図１８】（Ａ）（Ｂ）は板材としてガラス板を組込んだ状態を示すコーナー部上端縁部部位の斜視図、横断面図である。
【発明を実施するための形態】
【０００８】
以下、本発明の実施の形態について、図面に基づいて説明する。図面において、１はビル等の建造物の室内空間を仕切るため建て付けられる間仕切りであって、該間仕切り１は、床面Ｆに設けられる床レール２に対して左右方向（見付け方向）に間隙を存する状態で複数の縦支柱（縦方向の骨材）３が立設され、そして隣接する縦支柱３同士を連結する横連結材４と、これらによって枠組み形成される間仕切り空間に設けられるパネル板等の板材（ガラス板等の板材であってもよい。）６とを備えたものとして構成されるが、本実施の形態の間仕切り１は、上端縁部については天井面Ｈには至らない（天井面Ｈよりも低くなった）自立型のものとして構成されている。そして本実施の形態の間仕切り１は、左右両端縁部に、見込み方向（前後方向）互いに逆側に向けて延出した袖間仕切り部１ａが設けられたものになっているが、本発明は、前記縦支柱３の下端縁部の補強に関するものであって、間仕切り１が自立型であるか否か、袖間仕切り部１ａの有無に拘わらず実施することができる。
【０００９】
前記床レール２は、底片部２ａと前後両側片部２ｂとを備え、上側が開口した断面凵字形のもの（型材）で構成され、底片部２ａがビス（螺子材であって、アンカーボルトのような螺子固定するものであればよい。）２ｃを介して床面Ｆ側に固定（螺子固定）されている。
一方、前記縦支柱３は、左右の見込み片部３ａと前後の見付け片部３ｂとを有した四角筒形をしているが、本実施の形態では、一方の見込み片部３ａの前後方向中央部位が縦割り状に開口した縦割り開口部３ｃを有していることでＣ型の型材（縦支柱３は、縦割り開口部３ｃのないものであっても勿論よい。）で構成されている。さらに縦支柱３の下端縁部は、左右両見込み片部３ａの下端縁部が切り欠かれており、これによって、該左右見込み片部３ａの下端縁３ｅに対し、前後見付け片部３ｂは下方に延出した延出部３ｄが設けられた構成、換言すると、縦支柱３の下端縁部は、見込み片部３ａの下端縁３ｅが溝上辺となり、見付け片部延出部３ｄの左右端縁３ｆが溝側辺になった冂形の溝状部３ｇが形成されたものになっている。
そして縦支柱延出部３ｄは、後述するように縦支柱３を高さ調整手段７にセットした場合に、床レール２の前後側片部２ｂに外嵌する設定になっている。
【００１０】
７は縦支柱３の上下高さ位置を調整をするための高さ調整手段であって、該高さ調整手段７は、床レール２に内嵌する調整基材８と、該調整基材８に対して上下位置調整される支柱支持材９とを備えて構成されるが、調整基材８は、アジャスタボルト（調整ボルト）１０が上下方向移動自在に螺入する上片部８ａと、該上片部８ａの前後方向両端縁部から下方に垂下する前後脚片部８ｂとを備えた側面視で冂字形をし、前後脚片部８ｂを床レール２の前後側片部２ｂに内嵌せしめることで調整基材８の床レール２に対する組込みがなされるようになっており、これによって縦支柱３の下端縁部位では、外側に縦支柱延出部３ｄ、中間に床レール前後片部２ｂ、内側に調整基材前後脚片部８ｂが前後方向に積層した配設構造になっている。
【００１１】
一方、支柱支持材９は、前記アジャスタボルト１０のボルト頭が下側から当接する水平板状のボルト当接片部９ａと、該ボルト当接片部９ａの前後方向両端縁部から上方に延出した支柱固定片部９ｂと、ボルト当接片部９ａの左右方向両端縁部から下方に延出した補強材固定片部９ｃとを備えて構成されるが、支柱固定片部９ｂには、前記縦支柱見付け片部３ｂが延出部３ｄも含めて外嵌する状態で組み付けられる一方、補強材固定片部９ｃは、前後方向両端縁部が調整基材前後脚片部８ｂの左右方向両端縁部に当接（摺接）する状態で該調整基材前後脚片部８ｂに外嵌組み付けされるようになっている。
そして支柱支持材９は、前記補強材固定片部９ｃの前後方向両端縁部が調整基材前後脚片部８ｂの左右方向両端縁部に当接（摺接）することで、左右方向に位置ズレのない上下方向の移動案内がなされるようになっている。
【００１２】
この場合に、前記支柱固定片部９ｂに外嵌した縦支柱延出部３ｄは、下端縁部がボルト当接片部９ａ位置よりもさらに下方に延出（垂下）して前記床レール２の前後側片部２ｂに外嵌し、縦支柱延出部３ｄと、後述するように縦支柱３の高さ調整された状態の支柱固定片部９ｂとがビス３ｈにより螺子固定され、縦支柱延出部３ｄと調整基材前後脚片部８ｂとが、あいだに床レール前後片部２ｂを挟む状態でビス３ｉにより螺子固定されるようになっている。
前記縦支柱延出部３ｄと支柱固定片部９ｂとをビス３ｈを介して螺子固定する際に、縦支柱延出部３ｄと支柱固定片部９ｂとの位置決め（仮保持状の位置決め）が必要になるが、この位置決めは、縦支柱３の見込み片部下端縁３ｅを、支柱支持材９のボルト当接片部９ａと補強材固定片部９ｃとのコーナー部９ｅの上側片部（ボルト当接片部９ａの左右方向端縁部）に当接するようセットすることでできるようになっている。
【００１３】
次に縦支柱３の高さ調整の手順を説明するが、前述したように縦支柱延出部３ｄを支柱固定片部９ｂにビス３ｈを介して螺子固定して縦支柱３と支柱支持材９とを一体化した状態でボルト当接片部９ａをアジャスタボルト１０のボルト頭に当接せしめ、この状態でアジャスタボルト１０を上下方向に移動調整することでできることになる。この場合に、ボルト当接片部９ａには、アジャスタボルト１０のボルト頭よりも小径であるが、ドライバー等の工具の先端部をボルト頭に形成される操作溝（一般に「＋」「−」の溝形状をしている）に挿入係止できる操作孔９ｄが穿設されており、縦割り開口部３ｃおよび溝状部３ｇから縦支柱３内に挿入した前記工具を用いてアジャスタボルト１０を上下移動調整することで、支柱支持材９と共に縦支柱３の高さ調整ができるようになっており、該高さ調整をした後、前述したように縦支柱延出部３ｄと調整基材前後脚片部８ｂとの床レール２をあいだに挟む状態でビス３ｉによる螺子固定がなされるようになっている。
【００１４】
また１１は下部補強材であって、該下部補強材１１に設けられる底片部１１ａは、床レール２の底片部２ａに上側から当接する状態で、前記ビス２ｃによって床レール底片部２ａと共に床面Ｆ側に螺子固定されるようになっている。このように床面Ｆ側に固定される下部補強材１１には、前記底片部１１ａの前後方向端縁部から床レール２の前後側片部２ｂに内嵌する状態で上方に延出する前後の見付け起立片部１１ｂと、底片部１１ａの左右方向縦支柱３側の端縁部から調整基材８の前後脚片部８ｂのうちの一方に当接する状態で上方に延出する見込み起立片部１１ｃとを備えることで、見込み起立片部１１ｃが設けられるとは逆側方と上方とが開口された箱型形状で構成されるが、見付け起立片部１１ｂの上端縁は、床レール前後側片部２ｂと略同高さとなった第一上端縁１１ｄと、該第一上端縁１１ｄよりも見込み起立片部１１ｃ側に位置していて該第一上端縁１１ｄよりも高くなった（床レール２の上端縁よりも高くなった）第二上端縁１１ｅとが形成されることで段差状に構成されている。
そして下部補強材１１は、前述したように底片部１１ａがビス２ｃにより床レール底片部２ａと共に床面Ｆ側に螺子固定された状態で、見込み起立片部１１ｃがビス１１ｆにより前記高さ調整された支柱支持材９の補強材固定片部９ｃにネジ固定されるようになっており、このようにして縦支柱３の下端縁部の下部補強材１１による補強ができるようになっている。
【００１５】
一方、縦支柱３の上端縁部の補強は、上部補強材１２と補強受け材１３とを用いてなされている。前記上部補強材１２は、本実施の形態では、上端縁部が上片部１２ａによって塞がれ、前後側片部１２ｂと左右側片部１２ｃとを備えて構成された四角筒形状（有天四角筒形状）をしており、これによって、上部補強材１２自体、強度的に強いものになっているが、さらに上部補強材１２は、前後左右の側片部１２ｂ、１２ｃを縦支柱３の上端縁部に内嵌することで縦支柱３に組込まれることになるが、その場合に、縦支柱３の縦割り開口部３ｃから作業者の指やドライバ等の工具や作業者の指等を差込むことで、該嵌入した上部補助材１２が落下しないよう仮保持できるようになっている。
【００１６】
また前記補強受け材１３は、本実施の形態ではＬ字形をしていて、縦支柱見込み片部３ａの見込み面（左右方向外面）Ａに突き当てられる縦片部１３ａと、該縦片部１３ａの上端縁部から左右方向に延出する横片部１３ｂとを備えて構成されている。そして補強受け材１３は、縦支柱３の見込み片部３ａをあいだに挟む状態で縦片部１３ａと前記縦支柱３に嵌入した上部補強材１２の左右側片部１２ｃとをビス１３ｃを介して螺子固定することで、縦支柱３および上部補強材１２と一体化できるようになっている。この場合、補強受け材１３は、前後幅が縦支柱３の前後幅よりも幅狭になっていて、前記縦支柱３に突き当てる状態で螺子固定したとき、縦支柱３のコーナー部３ｊの見込み側片部（見込み片部３ａの前後端縁部）には縦片部１３ａの左右端縁が至らない、つまり縦片部１３ａのない露出した状態のままになるよう設定されている。
尚、縦支柱３の見付け片部３ｂと上部補強材１２の前後側片部１２ｂとは、ビス３ｏを介してさらに螺子固定されている。
【００１７】
前記横連結材４は、本実施の形態では縦支柱３の上端縁部同士を連結するものとして用いられているが、縦支柱３の上下方向中間部同士を連結するものとしても同様にして用いることができる。
ところで横連結材４は、上片部４ａと前後側片部４ｂとを備えていることで、下方が開口した断面冂字形に構成されており、そして前後側片部４ｂを補強受け材１３の横片部１３ｂに外嵌し、上片部４ａを横片部１３ｂに当接した状態で、上片部４ａからビス４ｃを横片部１３ｂに螺入することで、横連結材４と補強受け材１３とが螺子固定されるようになっている。
この場合に、横連結材前後側片部４ｂの左右端縁部は、前記縦支柱３の露出した状態のコーナー部３ｊの見込み側片部に当接するようになっており、これによって横連結材４が組込まれた場合に、該横連結材４の前後側片部４ｂと縦支柱３の見付け片部３ｂとの見付け面同士が面一状になるよう設定されている。
【００１８】
また横枠材５は、横連結材４に外嵌取付けされるものであって、前後両側に逆Ｌ字形をした中空状（フォロー状）の前後側枠部５ａと、該前後側枠部５ａ同士を前後方向中央部位で連結する連結片部５ｂとを備えて構成されているが、該連結片部５ｂは、前後側枠部５ａのあいだに形成される凹溝部５ｃの溝底片を構成している。そして横枠材５は、横連結材４に外嵌する状態で、連結片部５ｂをビス５ｄにより横連結材４、並びに上部補強材１２の上片部１２ａにそれぞれ螺子固定される構成になっており、このようにして縦支柱３の上端部の補強をする構成になっている。尚、５ｅは横枠材５の凹溝部５ｃの上部開口を覆蓋するための蓋材である。
【００１９】
さらに前記板材６は、横連結材４の前後に配される状態で一対が設けられるものであるが、断面Ｌ字形をした支持部１４ａを備えた支持金具１４を縦支柱見込み片部３ａの下端縁部に形成した係止孔３ｋに係止する一方、縦支柱見付け片部３ｂに形成した係止孔３ｌに係止金具１５を係止した状態で、板材６の下端縁を支持部１４ａに上側から載置して支持させると共に、板材６の裏面（内面）を係止金具１５に係止することにより取付けられる構成になっている。そして本実施の形態では、このようにして取付けられた板材６の上端縁には、前記横枠材前後側片部５ａの下端面が当接（または近接対向）する構成になっている。
尚、この場合に、床レール２の上端が開口したままの状態になるため、冂形状の塞ぎ材２０により塞いだものとしている。
【００２０】
また本実施の形態では、前述したように間仕切り１の左右両端縁部に袖間仕切り部１ａが設けられたものとなっているが、図１８に示す実施の形態のものは、板材６として前記実施の形態のように前後一対のパネル板ではなく一枚のガラス板６ａを組込んだものを例示している。そしてこの場合には、これらのコーナー部において、一方の縦支柱は、前記縦支柱３と同じものが用いられているのに対し、他方の縦支柱は、前記縦支柱３に対して幅狭の縦支柱３ｍが設けられたものとなっているが、該縦支柱３ｍはビス３ｎを介して縦支柱３に螺子固定されていると共に、上端縁部がＬ字形をした連結金具１７によって連結されることで補強されたものになっている。尚、ガラス板６ａを組込むにあたり、ガラス板６ａ用の組込み溝１８ａが設けられた縦横の枠材１８を縦支柱３、３ｍに取付けている（図示しないが、横連結材４、床レール２にも同様にして取付けている）。さらにこの場合、遊端となる縦支柱３には、ガラス板６ａ用の組込み溝１８ａのない枠材１９が設けられたものとなっている。
またこの場合に、前記コーナー部についても補強する必要があり、そこで図１７に示すように、上端縁部については、前記縦支柱３ｍの上端縁部に上部補強材２０が設けられたものにする一方、下端縁部については、縦支柱３ｍの延出部３ｐを下部補強材１１の第二上端縁１１ｅが形成される部位の見付け起立片部１１ｂにネジ固定する構成になっている。
【００２１】
叙述の如く構成された本実施の形態において、間仕切り１が自立型である場合のように縦支柱３の強度が要求されることがあり、このような場合に、該縦支柱３は、該縦支柱３の高さ調整手段の構成部材である支柱支持材９を介して床面Ｆ側に固定される下部補強材１１に支持されることになって、縦支柱３の下部補強材１１による補強が、支柱支持材９を有効に利用できることになって構造の簡略化だけでなく、現場での組付け作業の簡略化にも寄与できることになる。
【００２２】
しかもこの場合に、支柱支持材９は、縦支柱３の高さ調整をするため設けられるアジャスタボルト１０に当接するボルト当接片部９ａに、縦支柱３に螺子固定される支柱固定片部９ｂと下部補強材１１に螺子固定される補強材固定片部９ｃとを設けただけの構造の簡単なものとしただけで、前記下部補強材１１を介して縦支柱３の補強ができることになって、構造が複雑化することがない。
【００２３】
またこのものでは、前記支柱固定片部９ｂがボルト当接片部９ａの前後方向端縁部から上方に延出したものとして構成され、補強材固定片部９ｃが調整基材８に外嵌する状態でボルト当接片部９ａの左右方向端縁部から下方に延出したものとして構成され、そしてこれらが設けられた支柱支持材９は、補強材固定片部９ｃが調整基材８の左右端縁部に摺接することで縦支柱３の高さ調整をするための上下方向の移動案内がなされることになり、この結果、支柱支持材９に設けた補強材固定片部９ｃが、縦支柱３の上下調整をするための案内部材に兼用されることとなって、縦支柱３の補強を、支柱支持材９の精度の高い上下移動と併せてできることになる。
【００２４】
また縦支柱３の下端縁部には、前後見付け片部３ｂの下端縁部が縦支柱３の左右見込み片部３ａよりも下方に延出していて調整基材８に外嵌する延出部３ｄが設けられたものとなっており、そして該延出部３ｄが、調整基材８に螺子固定されることで、縦支柱３は、下部補強材１１だけでなく、調整基材８との一体化が図れることになって更なる強度アップに寄与できることになる。
【００２５】
尚、本発明は前記実施の形態に限定されるものでないことは勿論であって、例えば下部補強材１１については、前記実施の形態では縦支柱３に対して左右方向一方側に設けたものとしたが、左右両側に設けて更なる補強を図るように構成してもよい。
【産業上の利用可能性】
【００２６】
本発明は、建物の室内空間を仕切る間仕切りの縦支柱を補強するものとして利用することができる。
【符号の説明】
【００２７】
１  間仕切り
２  床レール
２ａ  底片部
３  縦支柱
３ａ  見込み片部
３ｂ  見付け片部
３ｃ  縦割り開口部
３ｄ  延出部
４  横連結材
４ｂ  前後側片部
５  横枠材
７  高さ調整手段
８  調整基材
８ａ  上片部
８ｂ  前後脚片部
９  支柱支持材
９ａ  ボルト当接片部
９ｂ  支柱固定片部
９ｃ  補強材固定片部
１０  アジャスタボルト
１１  下部補強材
１１ａ  底片部
１１ｃ  見込み起立片部
１２  上部補強材
１２ａ  上片部
１２ｂ  前後側片部
１２ｃ  左右側片部
１３  補強受け材
１３ａ  縦片部
１３ｂ  横片部
Ａ  縦支柱見込み片部の見込み面
Ｆ  床面
Ｈ  天井面
【図１】
2020165105.tif 000003
【図２】
2020165105.tif 000004
【図３】
2020165105.tif 000005
【図４】
2020165105.tif 000006
【図５】
2020165105.tif 000007
【図６】
2020165105.tif 000008
【図７】
2020165105.tif 000009
【図８】
2020165105.tif 000010
【図９】
2020165105.tif 000011
【図１０】
2020165105.tif 000012
【図１１】
2020165105.tif 000013
【図１２】
2020165105.tif 000014
【図１３】
2020165105.tif 000015
【図１４】
2020165105.tif 000016
【図１５】
2020165105.tif 000017
【図１６】
2020165105.tif 000018
【図１７】
2020165105.tif 000019
【図１８】
2020165105.tif 000020